(57)【特許請求の範囲】
【請求項１】
エネルギーを発生するエネルギー発生装置及びエネルギーを蓄積するエネルギー蓄積装置のエネルギーの出力量を制御する分散型エネルギーシステム制御装置であって、
エネルギーの需要予測結果に基づいて、前記エネルギー発生装置及び前記エネルギー蓄積装置の運転計画を作成し、前記運転計画にしたがった前記エネルギー発生装置及び前記エネルギー蓄積装置のエネルギーの出力量の計算値を求め、前記計算値に対応するエネルギー出力を指示する指令値を前記エネルギー発生装置及び前記エネルギー蓄積装置に送信する最適運転計画作成部と、
前記エネルギー発生装置及び前記エネルギー蓄積装置から実際に出力された前記エネルギーの出力量の実測値と、前記指令値に対応付けられたエネルギーの出力量の値との間に予め設定したしきい値以上の差があるとき、前記差が前記しきい値よりも小さくなるように前記指令値に対応付けられたエネルギーの出力量の値を補正する装置特性補正部と、
を有する分散型エネルギーシステム制御装置。
【請求項２】
前記装置特性補正部は、
前記運転計画にしたがった前記エネルギー発生装置及び前記エネルギー蓄積装置に対する前記出力量の指令値毎に前記エネルギーの出力量の実測値と前記指令値に対応付けられたエネルギーの出力量の値とを関連付けた補正表を作成し、前記指令値に対応付けられたエネルギーの出力量の値と前記実測値との間に予め設定したしきい値以上の差があるとき、前記指令値毎に、前記指令値に対応付けられたエネルギーの出力量の値を前記実測値と一致するように補正する請求項１記載の分散型エネルギーシステム制御装置。
【請求項３】
前記装置特性補正部は、
前記運転計画にしたがった前記エネルギー発生装置及び前記エネルギー蓄積装置に対する前記出力量の指示である指令値毎の実測値から近似曲線を作成し、前記指令値に対応付けられたエネルギーの出力量の値と前記実測値との間に予め設定したしきい値以上の差があるとき、前記指令値に対応付けられたエネルギーの出力量の値を前記近似曲線上の値と一致するように補正する請求項１記載の分散型エネルギーシステム制御装置。
【請求項４】
エネルギーを発生するエネルギー発生装置及びエネルギーを蓄積するエネルギー蓄積装置のエネルギーの出力量を制御するための分散型エネルギーシステム制御方法であって、
エネルギーの需要予測結果に基づいて、前記エネルギー発生装置及び前記エネルギー蓄積装置の運転計画を作成し、前記運転計画にしたがった前記エネルギー発生装置及び前記エネルギー蓄積装置のエネルギーの出力量の計算値を求め、前記計算値に対応するエネルギー出力を指示する指令値を前記エネルギー発生装置及び前記エネルギー蓄積装置に送信し、前記エネルギー発生装置及び前記エネルギー蓄積装置から実際に出力された前記エネルギーの出力量の実測値と、前記指令値に対応付けられた前記エネルギーの出力量の値との間に予め設定したしきい値以上の差があるとき、前記差が前記しきい値よりも小さくなるように前記指令値に対応付けられた前記エネルギーの出力量の値を補正する分散型エネルギーシステム制御方法。
【請求項５】
前記運転計画にしたがった前記エネルギー発生装置及び前記エネルギー蓄積装置に対する前記出力量の指令値毎に前記エネルギーの出力量の実測値と前記指令値に対応付けられたエネルギーの出力量の値とを関連付けた補正表を作成し、前記指令値に対応付けられたエネルギーの出力量の値と前記実測値との間に予め設定したしきい値以上の差があるとき、前記指令値毎に、前記指令値に対応付けられたエネルギーの出力量の値を前記実測値と一致するように補正する請求項４記載の分散型エネルギーシステム制御方法。
【請求項６】
前記運転計画にしたがった前記エネルギー発生装置及び前記エネルギー蓄積装置に対する前記出力量の指示である指令値毎の実測値から近似曲線を作成し、前記指令値に対応付けられたエネルギーの出力量の値と前記実測値との間に予め設定したしきい値以上の差があるとき、前記指令値に対応付けられたエネルギーの出力量の値を前記近似曲線上の値と一致するように補正する請求項４記載の分散型エネルギーシステム制御方法。
【請求項７】
コンピュータを、請求項１から３のいずれか１項記載の分散型エネルギーシステム制御装置として動作させるためのプログラム。
【発明の詳細な説明】
【技術分野】
【０００１】
本発明は各需要家が備えるエネルギー発生装置及びエネルギー蓄積装置の運転計画を作成する分散型エネルギーシステム制御装置、方法及びプログラムに関する。
【背景技術】
【０００２】
分散型エネルギーシステム制御装置は、複数の需要家がそれぞれ供える、電力や熱エネルギー等を発生するエネルギー発生装置及びエネルギー発生装置で発生したエネルギーを蓄積するエネルギー蓄積装置から出力するエネルギーを、エネルギーを消費するエネルギー負荷の変動に応じて効率よく制御する装置である。
【０００３】
この種の分散型エネルギーシステムの出力エネルギーを、低コストでかつ有効に利用する運用制御方法としては、例えば特許文献１に記載された分散型エネルギーシステムとその制御方法がある。特許文献１には、燃料電池の発電量、蓄電池のエネルギー貯蔵量及び負荷の電力消費量のデータを制御センターにて受信し、各エネルギー発生装置に発電電力値や受送電電力値を指令し、電力需要の日負荷特性が異なる複数の分散型エネルギーシステム間の電力需要を補完制御するシステムが記載されている。
【０００４】
また、分散型エネルギーシステムの最適な運転計画を作成する方法として、特許文献２に記載された分散型エネルギーシステム運転計画作成装置および作成方法がある。特許文献２には、電力系統と分散型エネルギーシステムとを連係して運転制御する際に、エネルギーの蓄積や放出のバランスあるいは急な停電等を考慮してランニングコストを最小化することが記載されている。
【特許文献１】特開２００２−４４８７０号公報
【特許文献２】特開２００５−１３０５５０号公報
【発明の開示】
【発明が解決しようとする課題】
【０００５】
従来の分散型エネルギーシステム制御装置では、各エネルギー発生装置やエネルギー蓄積装置の運転計画を作成する際に、指令値に対するエネルギー発生装置やエネルギー蓄積装置の実際のエネルギーの出力量を考慮していないため、計算上では最適な運転計画が作成されていても、実際には運転計画が最適化されていないという問題があった。
【０００６】
本発明は上記したような従来の技術が有する問題点を解決するためになされたものであり、エネルギー発生装置やエネルギー蓄積装置を最適に運転することが可能な分散型エネルギーシステム制御装置及び方法を提供することを目的とする。
【課題を解決するための手段】
【０００７】
上記目的を達成するため本発明の分散型エネルギーシステム制御装置は、エネルギーを発生するエネルギー発生装置及びエネルギーを蓄積するエネルギー蓄積装置のエネルギーの出力量を制御する分散型エネルギーシステム制御装置であって、
エネルギーの需要予測結果に基づいて、前記エネルギー発生装置及び前記エネルギー蓄積装置の運転計画を作成し、前記運転計画にしたがった前記エネルギー発生装置及び前記エネルギー蓄積装置のエネルギーの出力量の計算値を求め、前記計算値に対応するエネルギー出力を指示する指令値を前記エネルギー発生装置及び前記エネルギー蓄積装置に送信する最適運転計画作成部と、
前記エネルギー発生装置及び前記エネルギー蓄積装置から実際に出力された前記エネルギーの出力量の実測値と、前記指令値に対応付けられたエネルギーの出力量の値との間に予め設定したしきい値以上の差があるとき、前記差が前記しきい値よりも小さくなるように前記指令値に対応付けられたエネルギーの出力量の値を補正する装置特性補正部と、
を有する構成である。
【０００８】
また、本発明の分散型エネルギーシステム制御方法は、エネルギーを発生するエネルギー発生装置及びエネルギーを蓄積するエネルギー蓄積装置のエネルギーの出力量を制御するための分散型エネルギーシステム制御方法であって、
エネルギーの需要予測結果に基づいて、前記エネルギー発生装置及び前記エネルギー蓄積装置の運転計画を作成し、前記運転計画にしたがった前記エネルギー発生装置及び前記エネルギー蓄積装置のエネルギーの出力量の計算値を求め、前記計算値に対応するエネルギー出力を指示する指令値を前記エネルギー発生装置及び前記エネルギー蓄積装置に送信し、前記エネルギー発生装置及び前記エネルギー蓄積装置から実際に出力された前記エネルギーの出力量の実測値と、前記指令値に対応付けられた前記エネルギーの出力量の値との間に予め設定したしきい値以上の差があるとき、前記差が前記しきい値よりも小さくなるように前記指令値に対応付けられた前記エネルギーの出力量の値を補正する方法である。
【０００９】
また、本発明のプログラムは、コンピュータを上記分散型エネルギーシステム制御装置として動作させるためのものである。
【００１０】
上記のような分散型エネルギーシステム制御装置及び方法では、分散型エネルギーシステム制御装置にて求めたエネルギー出力量の計算値が、エネルギー発生装置やエネルギー蓄積装置の経年変化や劣化によって実測値と差が生じた場合でも、実測値に基づいて補正される。
【発明の効果】
【００１１】
本発明によれば、分散型エネルギーシステム制御装置にて求めたエネルギー出力量の計算値が、エネルギー発生装置やエネルギー蓄積装置の経年変化や劣化によって実測値と差が生じた場合でも、実測値に基づいて補正される。
【００１２】
そのため、分散型エネルギーシステムが備えるエネルギー発生装置やエネルギー蓄積装置を、例えばランニングコストやＣＯ2排出量等の評価値が最良となるように、最適に運転することが可能になる。
【発明を実施するための最良の形態】
【００１３】
次に本発明について図面を用いて説明する。
【００１４】
図１は本発明の分散型エネルギーシステム制御装置を備えるエネルギーコミュニティの一構成例を示すブロック図であり、図２は図１に示した分散型エネルギーシステム制御装置の一構成例を示すブロック図である。
【００１５】
図１に示すように、エネルギーコミュニティは、分散型エネルギーシステム１１０及び需要家負荷１２０を備えた複数の需要家１００1〜１００nと、分散型エネルギーシステム制御装置２００及び外部事業者から供給される電力やガス等の価格情報等が登録されたデータベース２１０とを有する構成である。
【００１６】
分散型エネルギーシステム制御装置２００は、通信部２０１、計測情報格納部２０２、装置特性モデル化部２０３、装置特性補正部２０４、最適運転計画作成部２０５及び需要量予測部２０６を備え、図の点線で示す通信線３０２を介して需要家１００1〜１００nが備える分散型エネルギーシステム１１０及び需要家負荷１２０と接続されている。
【００１７】
また、需要家１００1〜１００nが備える分散型エネルギーシステム１１０及び需要家負荷１２０は、図１の細線で示す電力線３０１を介して電力系統３００と接続され、図１の太線で示す熱配管３０３を介して他の需要家と接続されている。
【００１８】
分散型エネルギーシステム制御装置２００は、例えばコンピュータによって実現され、図２に示すように、プログラムにしたがって所定の処理を実行する処理装置１０と、処理装置１０に対してコマンドや情報等を入力するための入力装置２０と、処理装置１０の処理結果をモニタするための出力装置３０とを備えている。
【００１９】
処理装置１０は、ＣＰＵ１１と、ＣＰＵ１１の処理に必要な情報を一時的に記憶する主記憶装置１２と、ＣＰＵ１１に後述する分散型エネルギーシステム制御装置としての処理を実行させるためのプログラムが記録された記録媒体１３と、分散型エネルギーシステム１１０が備えるエネルギー発生装置及びエネルギー蓄積装置のエネルギー出力量の計算値や実測値が格納されるデータ蓄積装置１４と、主記憶装置１２、記録媒体１３及びデータ蓄積装置１４とのデータ転送を制御するメモリ制御インタフェース部１５と、入力装置２０及び出力装置３０とのインタフェース装置であるＩ／Ｏインタフェース部１６と、通信線を介してエネルギーコミュニティと接続するためのインタフェースである通信部２０１とを有し、それらがバス１８を介して接続された構成である。
【００２０】
処理装置１０は、記録媒体１３に記録されたプログラムにしたがって計測情報格納部２０１、装置特性モデル化部２０２、装置特性補正部２０４、最適運転計画作成部２０５及び需要量予測部２０６の機能を実現する。記録媒体１３は、磁気ディスク、半導体メモリ、光ディスクあるいはその他の記録媒体であってもよい。なお、分散型エネルギーシステム制御装置２００は、コンピュータに限定する必要はなく、例えばエネルギーコミュニティと通信するための通信部２０１に加えて、論理回路等から構成されるＬＳＩ（Large Scale Integration）やＤＳＰ（Digital Signal Processor）等の半導体集積回路及びメモリ等により、上記計測情報格納部２０１、装置特性モデル化部２０２、装置特性補正部２０４、最適運転計画作成部２０５及び需要量予測部２０６が備える機能を実現する構成であってもよい。
【００２１】
図３は図１に示した需要家の一構成例を示すブロック図である。
【００２２】
図３に示すように、需要家１００1〜１００nが備える分散型エネルギーシステム１１０は、エネルギー発生装置として、例えば燃料電池システム１１２を備え、エネルギー蓄積装置として、例えば蓄電池システム１１１及び貯湯槽１１３を備えた構成である。また、需要家１００1〜１００nが備える需要家負荷１２０は、電力負荷１２１や熱負荷１２２等のエネルギー負荷である。
【００２３】
蓄電池システム１１１、燃料電池システム１１２及び貯湯槽１１３には、エネルギー出力を測定するための計測器１１４〜１１６を備え、計測器１１４〜１１６は通信線３０２を介して分散型エネルギーシステム制御装置２００と接続されている。また、電力負荷１２１及び熱負荷１２２には、負荷エネルギーを測定するための計測器１２３〜１２４を備え、計測器１２３〜１２４は通信線３０２を介して分散型エネルギーシステム制御装置２００と接続されている。
【００２４】
蓄電池システム１１１、燃料電池システム１１２及び貯湯槽１１３には、それぞれに関連する周辺装置（補機類：例えば、各種ポンプ、弁、センサ、フィルタ、配管や継手等）を含むものとする。
【００２５】
なお、需要家１００1〜１００nが備えるエネルギー発生装置及びエネルギー蓄積装置の数や種類は、図１に示した構成に限定されるものではない。例えばエネルギー発生装置は太陽光や風力等の自然エネルギーを利用した発電装置あるいはエンジン等の機械エネルギーを利用した発電装置であってもよく、エネルギー蓄積装置は二次電池やキャパシタあるいは超伝導コイル等であってもよい。また、需要家は、必ずしもエネルギー発生装置やエネルギー蓄積装置を備えているとは限らず、電力負荷１２１や熱負荷１２２のみ備えている場合も考えられる。逆に、任意の需要家が複数のエネルギー発生装置やエネルギー蓄積装置を備え、余剰電力や熱等を他の需要家へ融通する構成も考えられる。需要家１００1〜１００nの蓄電池システム１１１、燃料電池システム１１２及び電力負荷１２１は、図３の細線で示す電力線３１０を介して電力系統３００と接続され、熱負荷１２２や貯湯槽１１３は図３の太線で示す熱配管３０３を介して他の需要家と接続されている。
【００２６】
図４は図１に示した分散型エネルギーシステム制御装置の処理手順を示すフローチャートである。
【００２７】
図４に示すように、分散型エネルギーシステム制御装置２００は、まず外部の電力事業者やガス事業者等から供給される電力やガス等の一次エネルギーの価格情報等を通信部２０１を通してデータベース２１０から取得し、計測情報格納部２０２へ格納する（ステップＳ１）。データベース２１０から取得する情報には、電力やガスの価格情報の他にＣＯ2排出量や一次エネルギーに関するデータ（例えば、エネルギー発生装置及びエネルギー蓄積装置の入力量を一次エネルギーに換算した換算値等）も含まれている。データベース２１０から取得した電力やガス等の価格情報等は、後述するステップＳ５〜Ｓ６の処理にて、最適な運転計画を決定する際の指標となる評価値として用いられる。
【００２８】
次に、分散型エネルギーシステム制御装置２００は、装置特性モデル化部２０３により、各需要家１００が備えるエネルギー発生装置及びエネルギー蓄積装置をモデル化する（ステップＳ２）。エネルギー発生装置やエネルギー蓄積装置のモデル化方法としては、予め設定された仕様に基づいてモデル化する方法、季節毎や月毎に定期的に試験運転を行い、得られた試験データからモデル化する方法等がある。
【００２９】
次に、分散型エネルギーシステム制御装置２００は、需要量予測部２０６にて各需要家１００の電力需要量や熱負荷需要量を予測する（ステップＳ３）。需要量予測部２０６は、例えば重回帰分析やニューラルネットワークを用いたエネルギー需要予測手法に基づき、電力需要量や熱負荷需要量の予測値を算出する。
【００３０】
続いて、分散型エネルギーシステム制御装置２００は、電力需要量及び熱負荷需要量の予測結果に基づき、最適運転計画作成部２０５により初期運転計画を作成する（ステップＳ４）。また、最適運転計画作成部２０５は、作成した初期運転計画から遺伝的アルゴリズムやタブーサーチ等の組み合わせ最適化問題を解く手法等を用いて、ランニングコストやＣＯ2排出量等の評価値が最良となるように運転計画を更新する（ステップＳ５）。そして、予め設定した所定時間毎に該運転計画による評価値が更新されたか否かを判定し（ステップＳ６）、所定時間内に評価値が更新されない場合は、評価値が収束したものとして、その時点で作成している運転計画を最適運転計画に決定する。最適運転計画作成部２０５は、この最適運転計画に基づいて発生するエネルギー発生装置及びエネルギー蓄積装置のエネルギーの出力量を、例えば上記ステップＳ２の処理で実施した装置のモデル化によって得られたデータに基づいて計算し、その計算値を計測情報格納部２０２に保存する（ステップＳ７）。
【００３１】
次に、分散型エネルギーシステム制御装置２００は、最適運転計画作成部２０５により、通信部２０１を介して各需要家１００が備えるエネルギー発生装置及びエネルギー蓄積装置へ作成した最適運転計画にしたがった出力量を指示する指令値を送信する（ステップＳ８）。そして、エネルギー発生装置及びエネルギー蓄積装置に接続された各計測器から得られる測定値を、エネルギー発生装置及びエネルギー蓄積装置の実測値として、対応する指令値に関連付けて計測情報格納部２０２に保存する（ステップＳ９）。
【００３２】
次に、分散型エネルギーシステム制御装置２００は、最適運転計画作成部２０５により、計測情報格納部２０２に保存された計算値と実測値とをそれぞれ比較し、計算値と実測値との差が予め設定されたしきい値以上に乖離しているか否かを判定する（ステップＳ１０）。
【００３３】
計算値と実測値との間に予め設定したしきい値以上の差がある場合、分散型エネルギーシステム制御装置２００は、装置特性補正部２０４にてその差がしきい値よりも小さくなるように計算値を補正する（ステップＳ１１）。また、最適運転計画作成部２０５により、作成した運転計画の修正が必要であるか否かを判定し（ステップＳ１２）、修正が必要な場合は運転計画を修正して（ステップＳ１３）、ステップＳ２の処理に戻ってステップＳ２からステップＳ１３の処理を繰り返す。
【００３４】
計算値と実測値の差がしきい値よりも小さい場合、分散型エネルギーシステム制御装置２００は、計算値の補正や運転計画の修正を行うことなくステップＳ２の処理へ戻る。
【００３５】
計算値と実測値の差に設けるしきい値は、運転計画の見直しが必要ないと考えられる計算値の許容補正範囲内に設定する。しきい値は、例えば計算値に含まれていると考えられる誤差の最大値に設定すればよい。
【００３６】
なお、計算値と実測値の差に設けるしきい値は、予め設定した所定の時刻における計算値と実測値に対して設定してもよく、複数の時刻における計算値及び実測値の平均値に対して設定してもよい。補正後の計算値は次回の最適運転計画の作成時に用いてもよく、現在の運転計画の修正に用いてもよい。
【００３７】
次に、上述した分散型エネルギーシステム制御装置２００による計算値の補正方法（図４のステップＳ１１の処理）及び運転計画の修正方法（図４のステップＳ１３の処理）について、図面を用いて具体的に説明する。
【００３８】
まず、計算値の補正方法について具体的に説明する。
【００３９】
第１の補正方法は補正表を用いた補正方法である。
【００４０】
図５（ａ）に示すように、エネルギー発生装置やエネルギー蓄積装置に対する指令値が離散的にしか設定できない場合（図５（ａ）の例では、出力量の０％、５０％、７５％及び１００％の４点のみ）、装置特性補正部２０４は、各指令値に対応するエネルギー出力量の計算値と実測値とを関連付けた補正表を作成する。そして、計算値と実測値の差に対して設けるしきい値を１００Ｗとした場合、装置特性補正部２０４は、図５（ｂ）に示すように実測値と１００Ｗ以上の差があった計算値を実測値と一致するように補正する。
【００４１】
第１の補正方法は、複数の指令値に対する出力量の計算値と実測値と関連付けて補正表を作成し、その補正表の値に基づいて計算値を補正するため、例えば燃料電池のように、指令値を離散的に設定する装置、あるいは定格出力付近でしかエネルギーを出力しないような装置に適用して有効である。第１の補正方法は、図５（ａ）、（ｂ）に示すような補正表を用いることで、装置特性補正部２０４は、各指令値に対応する計算値を、例えば複雑な計算等を行うことなく、容易に補正することができる。
【００４２】
第２の補正方法は近似曲線を用いる補正方法である。
【００４３】
エネルギー発生装置やエネルギー蓄積装置に対して指令値を連続的に設定可能な場合、装置特性補正部２０４は、例えば任意の５つの指令値に対応する実測値に基づいて対数近似を行い、図６に示すように近似曲線を作成する。近似曲線の作成には、対数近似だけでなく、線形近似、多項式近似、べき乗近似、指数近似等を用いてもよく、エネルギー発生装置やエネルギー蓄積装置の特性に応じて最適な近似曲線を選択すればよい。
【００４４】
この場合、装置特性補正部２０４は、第１の補正方法と同様に計算値と実測値の差に対して設けるしきい値を１００Ｗとすると、実測値と１００Ｗ以上の差があった計算値を作成した近似曲線上の値と一致するように補正する。
【００４５】
第２の補正方法は、複数の実測値に基づいて作成した近似曲線を用いて計算値を補正するため、発電装置のように指令値を連続的に設定できる装置に適用して有効である。第２の補正方法は、図６に示すような近似曲線を用いることで、連続して得られる全ての実測値を用いて計算値を補正する必要がないため、補正処理に用いる実測値の数を低減することが可能であり、計算量を低減できる。
【００４６】
なお、上記第１の補正方法と第２の補正方法とは組み合わせて用いることも可能である。例えば近年の燃料電池は指令値をより細かく設定することが可能になってきている。そのため、出力量が低いときは上記第２の補正方法で示した近似曲線を用いて計算値を補正し、定格出力付近では上記第１の補正方法で示した補正表を用いて計算値を補正する方法等を適用するとよい。
【００４７】
さらに、第３の補正方法として積算値を用いた補正方法がある。
【００４８】
第３の補正方法は、エネルギー発生装置やエネルギー蓄積装置の出力量が短時間で変化しない場合、ある一定期間（例えば２４時間）におけるエネルギー出力量の積算値によって計算値と実測値とを比較する。
【００４９】
例えば、図７に示すように燃料電池の運転開始から２４時間後の貯湯槽の熱量の実測値が計算値の１．１倍であった場合、装置特性補正部２０４は、全ての指令値に対応する貯湯槽の熱量の計算値を１．１倍にすることで補正する。
【００５０】
第３の補正方法は、燃料電池の排熱を蓄積する貯湯槽の熱量のように、実測値が短時間で変化しない装置に適用して有効であり、このような装置であっても、より最適に運転することが可能になる。
【００５１】
次に上記運転計画の修正方法について図面を用いて具体的に説明する。
【００５２】
図８は燃料電池の運転計画における計算値と実測値を例示したグラフである。
【００５３】
図８は、時刻８時に運転計画の修正条件である計算値と実測値との間にしきい値以上の差が発生した例であり、次の運転指令時刻である１０時以降から計算値と実測値とが同じになるように修正している。具体的には、実測値が計算値よりも少ない場合は指令値を増加させ、実測値が計算値よりも多い場合は指令値を減少させて、実測値と計算値とが等しくなるように指令値を修正する。このように、本発明では、次に運転計画を作成するまでの間、実測値に基づいて指令値を修正することで運転計画を一時的に修正する。そのため、計算値を補正しなくても、エネルギー発生装置やエネルギー蓄積装置を最適に運転することが可能になる。
【００５４】
以上説明したように、本発明によれば、分散型エネルギーシステム制御装置にて求めたエネルギー出力量の計算値が、エネルギー発生装置やエネルギー蓄積装置の経年変化や劣化によって実測値と差が生じた場合でも、実測値に基づいて補正される。そのため、分散型エネルギーシステムが備えるエネルギー発生装置やエネルギー蓄積装置を、例えばランニングコストやＣＯ2排出量等の評価値が最良となるように、最適に運転することが可能になる。
【００５５】
なお、本発明では、エネルギー発生装置やエネルギー蓄積装置の導入初期段階において、これらの装置の正確なモデル化に必要な各種の試験データ（立上り時間、運転効率、指令値の誤差等）が蓄積されていなくても、実測値を基に簡易なモデル化が可能である。さらに、エネルギー発生装置やエネルギー蓄積装置の導入後において、気温等により装置特性が変わった場合でも、既にモデル化した装置特性を実測値に基づいて修正することが可能である。その場合、修正後のモデル化された装置特性に基づいて計算値を求めれば、より精度の高い計算値を得ることができる。
【図面の簡単な説明】
【００５６】
【図１】本発明の分散型エネルギーシステム制御装置を備えるエネルギーコミュニティの一構成例を示すブロック図である。
【図２】図１に示した分散型エネルギーシステム制御装置の一構成例を示すブロック図である。
【図３】図１に示した需要家の一構成例を示すブロック図である。
【図４】図１に示した分散型エネルギーシステム制御装置の処理手順を示すフローチャートである。
【図５】分散型エネルギーシステム制御装置による計算値の第１の補正方法で用いる補正表の例を示すテーブル図である。
【図６】分散型エネルギーシステム制御装置による計算値の第２の補正方法で用いる近似曲線の例を示すグラフである。
【図７】分散型エネルギーシステム制御装置による計算値の第３の補正方法で用いる積算値の例を示すグラフである。
【図８】燃料電池の運転計画における計算値と実測値を例示したグラフである。
【符号の説明】
【００５７】
１０    処理装置
１１    ＣＰＵ
１２    主記憶装置
１３    記録媒体
１４    データ蓄積装置
１５    メモリ制御インタフェース部
１６    Ｉ／Ｏインタフェース部
１８    バス
２０    入力装置
３０    出力装置
１００1〜１００n    需要家
１１０    分散型エネルギーシステム
１１１    蓄電池システム
１１２    燃料電池システム
１１３    貯湯槽
１１４〜１１６、１２３、１２４    計測器
１２０    需要家負荷
１２１    電力負荷
１２２    熱負荷
２００    分散型エネルギーシステム制御装置
２０１    通信部
２０２    計測情報格納部
２０３    装置特性モデル化部
２０４    装置特性補正部
２０５    最適運転計画作成部
２０６    需要予測部
２１０    データベース
３００    電力系統
３０１    電力線
３０２    通信線
３０３    熱配管
【図１】
0004657987.tif 000002
【図２】
0004657987.tif 000003
【図３】
0004657987.tif 000004
【図４】
0004657987.tif 000005
【図５】
0004657987.tif 000006
【図６】
0004657987.tif 000007
【図７】
0004657987.tif 000008
【図８】
0004657987.tif 000009